(57)【要約】  マルチメディア対応デバイス（１０）は、デバイス（１０）によるマルチメディアコンテンツの使用を、マルチメディアコンテンツに関係付けられたリモートシステム（１２）に対して報告する。例えば、マルチメディア対応デバイス（１０）は、マルチメディア対応デバイス（１０）において、コンテンツプロバイダ（１２）から受信したか或いはコンテンツプロバイダ（１２）に関係付けられたマルチメディアコンテンツの使用を追跡することによって、使用データを維持管理し、使用データをコンテンツプロバイダ（１２）へ報告する。１以上の実施形態において、マルチメディア対応デバイス（１０）は、マルチメディア対応デバイス（１０）において、コンテンツプロバイダ（１２）から受信したか或いはコンテンツプロバイダ（１２）に関係付けられたマルチメディアコンテンツの使用を追跡することによって、使用データを維持管理し、使用データをコンテンツプロバイダ（１２）へ報告するように構成された使用監視プロセッサ（１６）を備える。例えば、コンテンツプロバイダ（１２）は、集合的な使用データに由来する使用メトリクスを対応するコンテンツに関係付けるように構成された情報使用プロセッサ（２２）を備えるウェブサーバ（１２）などの電子システム（１２）を含んでもよい。使用メトリクスの利用可能性は、例えば、コンテンツの将来見込まれるユーザをガイドするために使用可能なことである。
2009520299.tif 000002
【特許請求の範囲】
【請求項１】
マルチメディア対応デバイス（１０）によってマルチメディア使用データを報告する方法であって、
前記マルチメディア対応デバイス（１０）において、コンテンツプロバイダ（１２）から受信したか或いは前記コンテンツプロバイダ（１２）に関係付けられたマルチメディアコンテンツの使用を追跡することによって、使用データを維持管理するステップと、
前記使用データを前記コンテンツプロバイダ（１２）へ報告するステップと、
を備えることを特徴とする方法。
【請求項２】
前記マルチメディア対応デバイス（１０）のユーザに関係付けられた人口構成情報と、前記ユーザに関係付けられた位置情報と、のうちの少なくとも一方を前記使用データの報告と併せて報告するステップを更に備えることを特徴とする請求項１に記載の方法。
【請求項３】
前記マルチメディア対応デバイス（１０）において、コンテンツプロバイダ（１２）から受信したか或いは前記コンテンツプロバイダ（１２）に関係付けられたマルチメディアコンテンツの使用を追跡することによって、前記使用データを維持管理する前記ステップは、前記マルチメディア対応デバイス（１０）による前記マルチメディアコンテンツの引き続いての使用に応えて、以前に追跡された使用データを変更するステップを含むことを特徴とする請求項１に記載の方法。
【請求項４】
前記使用データを前記コンテンツプロバイダ（１２）へ報告する前記ステップは、前記変更された使用データを前記コンテンツプロバイダ（１２）へ報告するステップを含むことを特徴とする請求項３に記載の方法。
【請求項５】
前記マルチメディア対応デバイス（１０）において、コンテンツプロバイダ（１２）から受信したか或いは前記コンテンツプロバイダ（１２）に関係付けられたマルチメディアコンテンツの使用を追跡することによって、前記使用データを維持管理する前記ステップは、前記マルチメディアコンテンツの一時的な用途、前記マルチメディアコンテンツの使用頻度、前記マルチメディアコンテンツの使用期間、及び前記マルチメディアコンテンツの配信のうちの少なくとも１つを追跡するステップを含むことを特徴とする請求項１に記載の方法。
【請求項６】
前記マルチメディア対応デバイス（１０）から引き離されたマルチメディアコンテンツに対応する使用データを削除するステップを更に含むことを特徴とする請求項１に記載の方法。
【請求項７】
前記使用データを前記コンテンツプロバイダ（１２）へ報告する前記ステップは、前記コンテンツプロバイダ（１２）によって特定された間隔で前記使用データを前記コンテンツプロバイダ（１２）へ報告するステップを含むことを特徴とする請求項１に記載の方法。
【請求項８】
前記使用データを前記コンテンツプロバイダ（１２）へ報告する前記ステップは、前記マルチメディア対応デバイス（１０）によって前記マルチメディアコンテンツが所定の回数使用された後に、前記使用データを前記コンテンツプロバイダ（１２）へ報告するステップを含むことを特徴とする請求項１に記載の方法。
【請求項９】
前記使用データを前記コンテンツプロバイダ（１２）へ報告する前記ステップは、前記コンテンツプロバイダ（１２）によって特定された宛先アドレスへ前記使用データを報告するステップを含むことを特徴とする請求項１に記載の方法。
【請求項１０】
マルチメディア対応デバイス（１０）であって、
前記マルチメディア対応デバイス（１０）において、コンテンツプロバイダ（１２）から受信したか或いは前記コンテンツプロバイダ（１２）に関係付けられたマルチメディアコンテンツの使用を追跡することによって、使用データを維持管理し、前記使用データを前記コンテンツプロバイダ（１２）へ報告するように構成された使用監視プロセッサ（１６）を備えることを特徴とするマルチメディア対応デバイス（１０）。
【請求項１１】
前記使用監視プロセッサ（１６）は更に、前記マルチメディア対応デバイス（１０）のユーザに関係付けられた人口構成情報と、前記デバイスユーザに関係付けられた位置情報と、のうちの少なくとも一方を前記使用データの報告と併せて報告するように構成されることを特徴とする請求項１０に記載のマルチメディア対応デバイス（１０）。
【請求項１２】
前記使用監視プロセッサ（１６）は、前記マルチメディア対応デバイス（１０）による前記マルチメディアコンテンツの引き続いての使用に応えて、以前に追跡された使用データを変更することによって、前記使用データを維持管理するように構成されることを特徴とする請求項１０に記載のマルチメディア対応デバイス（１０）。
【請求項１３】
前記使用監視プロセッサ（１６）は、前記変更された使用データを前記コンテンツプロバイダ（１２）へ報告することによって、前記使用データを前記コンテンツプロバイダ（１２）へ報告するように構成されることを特徴とする請求項１２に記載のマルチメディア対応デバイス（１０）。
【請求項１４】
前記使用監視プロセッサ（１６）は、前記マルチメディアコンテンツの一時的な用途、前記マルチメディアコンテンツの使用頻度、前記マルチメディアコンテンツの使用期間、及び前記マルチメディアコンテンツの配信のうちの少なくとも１つを追跡することによって、前記マルチメディア対応デバイス（１０）において前記使用データを維持管理するように構成されることを特徴とする請求項１０に記載のマルチメディア対応デバイス（１０）。
【請求項１５】
前記使用監視プロセッサ（１６）は更に、前記マルチメディア対応デバイス（１０）から引き離されたマルチメディアコンテンツに対応する使用データを削除するように構成されることを特徴とする請求項１０に記載のマルチメディア対応デバイス（１０）。
【請求項１６】
前記使用監視プロセッサ（１６）は、前記コンテンツプロバイダ（１２）によって特定された間隔で前記使用データを前記コンテンツプロバイダ（１２）へ報告することによって、前記使用データを前記コンテンツプロバイダ（１２）へ報告するように構成されることを特徴とする請求項１０に記載のマルチメディア対応デバイス（１０）。
【請求項１７】
前記使用監視プロセッサ（１６）は、前記マルチメディア対応デバイス（１０）によって前記マルチメディアコンテンツが所定の回数使用された後に、前記使用データを前記コンテンツプロバイダ（１２）へ報告することによって、前記使用データを前記コンテンツプロバイダ（１２）へ報告するように構成されることを特徴とする請求項１０に記載のマルチメディア対応デバイス（１０）。
【請求項１８】
前記使用監視プロセッサ（１６）は、前記コンテンツプロバイダ（１２）によって特定された宛先アドレスへ前記使用データを報告することによって、前記使用データを前記コンテンツプロバイダ（１２）へ報告するように構成されることを特徴とする請求項１０に記載のマルチメディア対応デバイス（１０）。
【請求項１９】
マルチメディア対応デバイス（１０）によってリモートにアクセス可能なマルチメディアコンテンツのための使用情報を提供する方法であって、
複数のマルチメディア対応リモートデバイス（１０）によるマルチメディアコンテンツの使用を示す使用データを取得するステップと、
前記リモートマルチメディア対応デバイス（１０）による前記マルチメディアコンテンツの集合的な使用を示すための１以上の使用メトリクスを生成するために前記使用データを処理するステップと、
前記マルチメディアコンテンツの集合的な使用を示すために前記１以上の使用メトリクスを前記マルチメディアコンテンツに関係付けるステップと、
を備えることを特徴とする方法。
【請求項２０】
前記使用データを取得する前記ステップは、前記リモートマルチメディア対応デバイス（１０）の個々から追跡された使用情報を取得するステップを含むことを特徴とする請求項１９に記載の方法。
【請求項２１】
前記１以上の使用メトリクスを前記マルチメディアコンテンツに関係付ける前記ステップは、前記１以上の使用メトリクスを前記マルチメディアコンテンツに電子的にリンクさせるステップを含むことを特徴とする請求項１９に記載の方法。
【請求項２２】
前記１以上の使用メトリクスを前記マルチメディアコンテンツに関係付ける前記ステップは、ウェブページ中で前記１以上の使用メトリクスを前記マルチメディアコンテンツにリンクさせるステップを含むことを特徴とする請求項１９に記載の方法。
【請求項２３】
前記１以上の使用メトリクスを前記マルチメディアコンテンツに関係付ける前記ステップは、前記１以上の使用メトリクスを前記マルチメディアコンテンツに関係付けられた電子フィード内に含ませるステップを含むことを特徴とする請求項１９に記載の方法。
【請求項２４】
前記１以上の使用メトリクスを前記マルチメディアコンテンツに関係付ける前記ステップは、前記１以上の使用メトリクスと前記マルチメディアコンテンツに対応する識別情報とを含むデータベース（２４）レコードを作成するステップを含むことを特徴とする請求項１９に記載の方法。
【請求項２５】
１以上の使用メトリクスを生成するために前記使用データを処理する前記ステップは、平均使用メトリクス、累積使用メトリクス、頻度使用メトリクス、期間使用メトリクス、及び一時的使用メトリクスのうちの少なくともいずれかを算出するステップを含むことを特徴とする請求項１９に記載の方法。
【請求項２６】
前記使用データを取得する前記ステップは、前記マルチメディアコンテンツに関係付けられたコンテンツサーバ（１２）によって特定された間隔で前記リモートマルチメディア対応デバイス（１０）の個々から追跡された使用情報を取得するステップを含むことを特徴とする請求項１９に記載の方法。
【請求項２７】
前記使用データを取得する前記ステップは、前記リモートマルチメディア対応デバイス（１０）の個々によって前記マルチメディアコンテンツが所定の回数使用された後に、前記リモートマルチメディア対応デバイス（１０）の前記個々から追跡された使用情報を取得するステップを含むことを特徴とする請求項１９に記載の方法。
【請求項２８】
複数のリモートマルチメディア対応デバイス（１０）によるマルチメディアコンテンツの使用を示す使用データを取得し、
前記リモートマルチメディア対応デバイス（１０）による前記マルチメディアコンテンツの集合的な使用を示すための１以上の使用メトリクスを生成するために前記使用データを処理し、
前記マルチメディアコンテンツの集合的な使用を示すために前記１以上の使用メトリクスを前記マルチメディアコンテンツに関係付ける
ように構成された使用情報プロセッサ（２２）を備えることを特徴とする電子システム（１２）。
【請求項２９】
前記使用情報プロセッサ（２２）は、前記リモートマルチメディア対応デバイス（１０）の個々から追跡された使用情報を取得することによって、前記使用データを取得するように構成されることを特徴とする請求項２８に記載の電子システム（１２）。
【請求項３０】
前記使用情報プロセッサ（２２）は、前記１以上の使用メトリクスを前記マルチメディアコンテンツに電子的にリンクさせることによって、前記１以上の使用メトリクスを前記マルチメディアコンテンツに関係付けるように構成されることを特徴とする請求項２８に記載の電子システム（１２）。
【請求項３１】
前記使用情報プロセッサ（２２）は、ウェブページ中で前記１以上の使用メトリクスを前記マルチメディアコンテンツにリンクさせることによって、前記１以上の使用メトリクスを前記マルチメディアコンテンツに関係付けるように構成されることを特徴とする請求項２８に記載の電子システム（１２）。
【請求項３２】
前記使用情報プロセッサ（２２）は、前記１以上の使用メトリクスを前記マルチメディアコンテンツに関係付けられた電子フィード内に含ませることによって、前記１以上の使用メトリクスを前記マルチメディアコンテンツに関係付けるように構成されることを特徴とする請求項２８に記載の電子システム（１２）。
【請求項３３】
前記使用情報プロセッサ（２２）は、前記１以上の使用メトリクスと前記マルチメディアコンテンツに対応する識別情報とを含むデータベース（２４）レコードを作成することによって、前記１以上の使用メトリクスを前記マルチメディアコンテンツに関係付けるように構成されることを特徴とする請求項２８に記載の電子システム（１２）。
【請求項３４】
前記使用情報プロセッサ（２２）は、平均使用メトリクス、累積使用メトリクス、頻度使用メトリクス、期間使用メトリクス、及び一時的使用メトリクスのうちの少なくともいずれかを算出することによって、１以上の使用メトリクスを生成するために前記使用データを処理するように構成されることを特徴とする請求項２８に記載の電子システム（１２）。
【請求項３５】
前記リモートマルチメディア対応デバイス（１０）の個々に対して前記マルチメディアコンテンツへのアクセスを提供し、
前記リモートマルチメディア対応デバイス（１０）の個々から前記使用データを取得し、
前記マルチメディアコンテンツの将来見込まれるユーザに対して前記マルチメディアコンテンツの集合的な使用を示すために前記１以上の使用メトリクスを前記マルチメディアコンテンツにリンクさせる
ように構成されたウェブサーバ（１２）を備えることを特徴とする請求項２８に記載の電子システム（１２）。
【請求項３６】
前記ウェブサーバ（１２）は、前記ウェブサーバ（１２）によって特定された間隔で前記リモートマルチメディア対応デバイス（１０）の個々から追跡された使用情報を取得することによって、前記使用データを取得するように構成されることを特徴とする請求項３５に記載の電子システム（１２）。
【請求項３７】
前記ウェブサーバ（１２）は、前記リモートマルチメディア対応デバイス（１０）の個々によって前記マルチメディアコンテンツが所定の回数使用された後に、前記リモートマルチメディア対応デバイス（１０）の前記個々から追跡された使用情報を取得することによって、前記使用データを取得するように構成されることを特徴とする請求項３５に記載の電子システム（１２）。
【発明の詳細な説明】
【技術分野】
【０００１】
本発明はマルチメディアサービスに関し、特に、マルチメディア対応デバイスによるマルチメディアコンテンツの使用(usage)に対応するデータを収集して処理することに関する。
【背景技術】
【０００２】
インターネットは、多様なマルチメディア配信技術を生み出してきた。マルチメディア配信技術によって、マルチメディア対応デバイスは、リモートに蓄積されたマルチメディアコンテンツにアクセスしたり或いはこれを処理したりすることが可能となった。アプリケーションによっては、マルチメディア対応デバイスは、多数のウェブサイトのコンテンツへの集合的なリンクを提供するポッドキャストなどの電子フィードを介して、マルチメディアコンテンツへのアクセスを行うことができる。他のアプリケーションでは、マルチメディア対応デバイスは、リモートシステムによって提供されるマルチメディアコンテンツをダウンロードしたり或いはこれに直接アクセスしたりする。
【０００３】
電子コンテンツプロバイダ、即ちマルチメディアコンテンツなどの電子情報を直接的或いは間接的にリモートデバイスに提供するシステムは、リモートデバイスによるアクセス行動を監視することができる。即ち、電子コンテンツプロバイダは、自分が提供する或いは自分に関係する特定のマルチメディアコンテンツにアクセスするユーザの性質を監視することができる。例えば、従来の技術には、特定のコンテンツがユーザによってダウンロードされた回数を監視することによって特定のマルチメディアコンテンツに関する「人気」を追跡するものもある。他の例では、コンテンツプロバイダは、利用可能なコンテンツをユーザが（例えば、１個から５個までの星の等級で）評価することを許可する。もちろん、１番目の例では、ダウンロードの頻度はダウンロードされたコンテンツに関するユーザの実際の満足度には関係しないし、２番目の例では、星による評価はユーザからの手作業によるフィードバックに依存している。
【発明の開示】
【課題を解決するための手段】
【０００４】
ここで教示する方法及び装置は、マルチメディアコンテンツに関係するリモートシステムに対してそのマルチメディアコンテンツの使用を報告するマルチメディア対応デバイスを提供する。非限定的な一例として、マルチメディア対応デバイスは、コンテンツプロバイダから受信したマルチメディアコンテンツ、或いはコンテンツプロバイダに関係するマルチメディアコンテンツの使用を追跡することによって、自デバイスにおいて使用データ(usage data)を維持管理(maintain)し、コンテンツプロバイダに対してその使用データを報告する。それゆえ、１以上の実施形態において、マルチメディア対応デバイスは、コンテンツプロバイダから受信したマルチメディアコンテンツ、或いはコンテンツプロバイダに関係するマルチメディアコンテンツの使用を追跡することによって、自デバイスにおいて使用データを維持管理し、コンテンツプロバイダに対してその使用データを報告するように構成された使用監視プロセッサを備える。
【０００５】
マルチメディアの使用を報告する上の方法及びデバイスに対応して、補足的な電子システムは、使用情報プロセッサを備える。使用情報プロセッサは、複数のリモートマルチメディア対応デバイスによるマルチメディアコンテンツの使用を示す使用データを取得し、そのリモートマルチメディア対応デバイスによるそのマルチメディアコンテンツの集合的な使用を示す１以上の使用メトリクス(usage metrics)を生成するためにその使用データを処理するように構成される。使用情報プロセッサは更に、マルチメディアコンテンツの集合的な使用を示すために、１以上の使用メトリクスをマルチメディアコンテンツに関係付けるように構成される。
【０００６】
【０００７】
もちろん、本発明は上の特徴及び利点に限定されるものではない。当業者であれば、以下の詳細な説明を読んで添付の図面を見れば、追加の特徴及び利点を認識するであろう。
【発明を実施するための最良の形態】
【０００８】
図１は、電子コンテンツプロバイダ１２（即ち、デバイス１０によるアクセス及び取得のうちの少なくとも一方のためにマルチメディアコンテンツを直接的或いは間接的に配信する、ウェブサーバ或いは他のネットワーク中心システムなどの、システム）に対して通信するように結合されたマルチメディア対応デバイス１０の実施形態を示す。デバイス１０はネットワーク１４を介してコンテンツプロバイダ１２に結合され、コンテンツプロバイダ１２によって提供されるか或いはこれに関係するマルチメディアコンテンツに、ネットワーク１４を介してアクセスする。デバイス１０は、デバイス１０がマルチメディアコンテンツを「再生」したり或いは使用したりする度に、そのマルチメディアコンテンツの使用を追跡或いは監視する。特に、デバイス１０は、後に詳細を説明するように、マルチメディアコンテンツの使用を追跡する使用監視プロセッサ１６を備える。デバイス１０は、マルチメディアコンテンツに関係するリモートシステム（例えば、配信元のコンテンツプロバイダ１２、又はコンテンツプロバイダ１２に関係するか或いは何らかの方法でこれと提携しているシステム）に対して使用データを報告する。
【０００９】
一般的に、コンテンツプロバイダ１２は、同じマルチメディアコンテンツに関係する使用データを他のリモートデバイス（不図示）からも取得する。即ち、特定のポッドキャストやミュージックビデオなどの特定のマルチメディアコンテンツについて、コンテンツプロバイダ１２は、その特定のマルチメディアコンテンツをダウンロードしたか或いはこれにアクセスした複数のユーザから使用データを取得する。場合によっては、コンテンツプロバイダ１２は、自分を介してコンテンツを取得したか或いはこれにアクセスしたユーザから使用データを取得するように構成されてもよいし、他の場合では、コンテンツプロバイダ１２は、特定のマルチメディアコンテンツを取得したユーザに関する使用データ又はこれに関連する使用メトリクスを、他の場所から収集してもよい。
【００１０】
いずれの場合も、コンテンツプロバイダ１２は、使用データを処理することによって１以上の使用メトリクスを直接的或いは間接的に生成する。使用メトリクスは、特定のコンテンツを使用したか或いは使用している複数のリモートデバイスによるその特定のマルチメディアコンテンツの集合的な使用を評価或いは測定する手段を提供する。使用メトリクスは、人気、好感度、及びユーザ満足度のうちの１以上のものを反映することができる。コンテンツプロバイダ１２は、コンテンツに関する集合的な使用メトリクスを示すために、使用メトリクスを対応するマルチメディアコンテンツに関係付ける。使用メトリクスは、そのコンテンツに関する後続の見込まれるユーザにとって有用なものである。即ち、コンテンツプロバイダ１２は、コンテンツの過去のユーザ及び現在のユーザのうちの少なくとも一方によって報告された実際の使用に基づくように、ダウンロード又はアクセスが可能な特定のマルチメディアファイルに関する、実世界における楽しみ、人気、或いは全体的な好感度を反映する使用メトリクスを、生成するか或いは取得することができる。そのようなデータはそれゆえ、将来見込まれるユーザに、どのマルチメディアコンテンツを選択すべきかに関する確かな情報を提供する。
【００１１】
１以上の実施形態において、コンテンツプロバイダ１２に関係する補助システム（不図示）が、マルチメディアコンテンツの使用を追跡して報告するように構成されたマルチメディア対応デバイス１０などのリモートデバイスから取得された使用データを処理することを、支援する。コンテンツプロバイダ１２又はサードパーティーのシステムによってローカルで或いはリモートで運用可能な補助システムは、自分が直接受信したか或いはコンテンツプロバイダ１２によって転送された使用データを処理する。補助システムは、使用メトリクスを取得するために使用データを処理し、そしてコンテンツプロバイダ１２に対して使用メトリクスを転送したり、或いはマルチメディアコンテンツにその後アクセスするリモートデバイスに対して使用メトリクスを提供したりする。換言すれば、補助システムは、コンテンツプロバイダ１２に対する処理ルート(conduit)として機能する。このように、コンテンツプロバイダ１２が、使用データを直接的或いは間接的に受信してそれに応じて処理してもよいし、或いは補助システムが使用データを処理してもよい。特に断りの無い限り、ここで説明するコンテンツプロバイダ１２に対する言及は、コンテンツプロバイダ１２を意味するか、コンテンツプロバイダ１２に関係する補助システムを意味するか、或いはこれらの何らかの組み合わせを意味するものとして解釈されたい。
【００１２】
図１を参照すると、デバイス１０によってアクセスされたマルチメディアコンテンツは、ネットワーク１４を介してダウンロードされるか或いはアクセスされる。ネットワークは、インターネット、１以上のローカルエリアネットワーク又はワイドエリアネットワーク、１以上の無線ネットワーク、或いはこれらの何らかの組み合わせを含み得る。一例では、デバイス１０は、ポッドキャストなどの電子フィードを介してマルチメディアコンテンツにアクセスする。電子フィードは、マルチメディアコンテンツなどの多数の電子コンテンツへの集合的なリンクを提供する。他の応用では、デバイス１０は、ネットワーク１４を介して、コンテンツプロバイダ１２に関係するマルチメディアコンテンツをダウンロードするか或いはこれにアクセスする。
【００１３】
コンテンツプロバイダ１２は、デバイス１０に対して、デバイス１０が維持管理する使用データをどこへ送信するかを通知する。一例では、コンテンツプロバイダ１２とデバイス１０とは、メタタグ内に埋め込まれた情報を使用して通信する。他の例では、コンテンツプロバイダ１２とデバイス１０とは、多様なメッセージング技術のうちの１つを使用して通信する。ともかく、デバイス１０には、使用データをどこへ報告すべきかを示す情報が提供される。
【００１４】
コンテンツプロバイダ１２は、受信エレメント１８及び送信エレメント２０を備え、それぞれがネットワークを介して情報を送受信する。一例では、使用情報プロセッサ２２は、受信エレメント１８を介して使用データ又は使用メトリクスを受信し、送信エレメント２０を介してそのような情報（又はメトリクス）を送信する。動作中、図２のステップ１００に示すように、コンテンツプロバイダ１２は、マルチメディア対応デバイス１０などのリモートデバイスから使用データを取得する。図２のプログラムロジックのステップ１０２に示すように、使用情報プロセッサ２２は、コンテンツプロバイダ１２が取得した集合的な使用データに対応する１以上の使用メトリクスを生成する。使用情報プロセッサ２２は、１以上の汎用マイクロプロセッサ又は専用マイクロプロセッサ、デジタル信号プロセッサ、アプリケーション固有集積回路、フィールド・プログラマブル・ゲートアレイ（ＦＰＧＡ）、及びソフトウェア（又はファームウェア）に実装されたコンピュータプログラム命令に従うように構成された他の種類のデジタル処理回路、のうちの少なくともいずれかを含むことができる。そのような回路は、電子コンテンツプロバイダ１２の他の信号機能及び制御機能に共有されていてもよい。
【００１５】
使用情報プロセッサ２２は、集合的な使用データを統計的に分析することによって使用メトリクスを生成する。一例では、使用情報プロセッサ２２は集合的な使用データを平均して平均使用メトリクスを提供する。他の例では、使用情報プロセッサ２２は集合的な使用データに関係する１以上のカウンタを加算して累積使用メトリクスを提供する。更に他の例では、使用情報プロセッサ２２は他の統計ベースの分析を実行して、使用頻度、使用期間、使用毎の平均時間間隔などに関連する使用メトリクスを生成する。特定の分析技術とは無関係に、使用情報プロセッサ２２は、コンテンツプロバイダ２２が使用するための１以上の使用メトリクスを生成する。
【００１６】
コンテンツプロバイダ１２は、使用メトリクスを、対応するマルチメディアコンテンツに関係付ける。特に、図３のステップ２００に示すように、コンテンツプロバイダ１２は、使用情報プロセッサ２２から１以上の使用メトリクスを取得する。使用メトリクスは、使用情報プロセッサ２２から直接取得されてもよいし、ネットワーク１４を介して間接的に取得されてもよい。図３のステップ２０２に示すように、コンテンツプロバイダ１２は、使用マトリクスを対応するマルチメディアコンテンツに関係付ける。こうして、マルチメディアコンテンツに後からアクセスするユーザは、どのマルチメディアコンテンツにアクセスすべきかを決定する際の支援を行う使用メトリクスを利用することができる。例えば、コンテンツプロバイダ１２を介したマルチメディアコンテンツの購入を検討している将来見込まれるユーザは、自分の購入決定を通知するために使用メトリクスを使用することができる。
【００１７】
一例では、コンテンツプロバイダ１２は、使用メトリクスをマルチメディアコンテンツに電子的にリンクさせることによって、使用メトリクスを対応するマルチメディアコンテンツに関係付ける。例えば、コンテンツプロバイダ１２は、ウェブページ中で使用メトリクスを対応するマルチメディアコンテンツにリンクさせる。こうすれば、マルチメディア対応デバイス１０などのリモートデバイスのユーザは、デバイス１０がウェブページにアクセスしたときに、使用メトリクスと対応するマルチメディアコンテンツとの両方を見る。他の例では、コンテンツプロバイダ１２は、使用メトリクスと対応するマルチメディアコンテンツとを後の使用のためにデータベース内に格納する。更に他の例では、コンテンツプロバイダ１２は、使用メトリクスを、特定のマルチメディアコンテンツに関係する電子フィード内に埋め込む。非限定的な一例では、コンテンツプロバイダ１２は、使用メトリクスをメタデータとして表すことによって（例えば、ＲＳＳフィードのチャネルエレメント又はサブエレメントの中に使用メトリクスをコーディングすることによって）、使用メトリクスを電子フィード内に埋め込む。こうして、使用メトリクスは、電子フィードの１以上の集合的なリンクに関係付けられる。それゆえ、デバイス１０のユーザは、フィード内のどのリンクにアクセスするかを決定する際に使用メトリクスを利用することができる。
【００１８】
図４は、マルチメディア対応デバイス１０の実施形態を示す。デバイス１０は、使用監視プロセッサ１６と、送信機２６と、受信機２８と、マルチメディアプレーヤ３０と、データベース３２と、ファイルシステム３４とを備える。使用監視プロセッサ１６は、１以上の汎用マイクロプロセッサ又は専用マイクロプロセッサ、デジタル信号プロセッサ、アプリケーション固有集積回路、フィールド・プログラマブル・ゲートアレイ（ＦＰＧＡ）、及びソフトウェア（又はファームウェア）に実装されたコンピュータプログラム命令に従うように構成された他の種類のデジタル処理回路、のうちの少なくともいずれかを含むことができる。そのような回路は、マルチメディア対応デバイス１０の他の信号機能及び制御機能に共有されていてもよい。
【００１９】
デバイス１０は、ネットワーク１４への直接的或いは間接的な間欠性の接続を少なくとも持つ。例えば、デバイス１０は、コンピュータ、ポータブルコンピュータ、ポータブル通信デバイス、セル電話、ハンドヘルドデバイス、ＰＤＡなどを含み得る。送信機２６及び受信機２８はそれぞれ、ネットワーク１４を介して情報を送信し、受信する。一例では、送信機２６は、コンテンツプロバイダ１２によって指定された宛先アドレスへ使用データを送信する。受信機２８は、マルチメディアコンテンツを含む情報をコンテンツプロバイダ１２から受信する。例えば、受信機２８は、電子フィード及び対応する使用メトリクスを受信する。マルチメディアプレーヤ３０は、デバイス１０が入手可能な様々な形式のマルチメディアコンテンツを再生するためにソフトウェア（又はファームウェア）に実装されたコンピュータプログラム命令に従うように構成された、１以上のデジタル処理回路を含む。
【００２０】
マルチメディアプレーヤ３０が特定のマルチメディアコンテンツの再生を開始した後、或いは、デバイス１０がマルチメディアコンテンツの他用途での使用を開始した後、図５のステップ３００に示すように、使用監視プロセッサ１６は、デバイス１０によるそのコンテンツの使用に対応する使用データを維持管理する。特に、使用監視プロセッサ１６は、マルチメディアコンテンツの使用に関連する１以上のパラメータを追跡する。例えば、使用監視プロセッサ１６は、一時的な用途、使用頻度、使用期間、及び他のリモートデバイスへのマルチメディアコンテンツの配信に関するパラメータを追跡する。デバイス１０のファイルシステム３４は、マルチメディアの使用の追跡を改良するために、使用監視プロセッサ１６に対して追加のパラメータを提供してもよい。例えば、ファイルシステム３４は、マルチメディアコンテンツの使用に関連してデバイス１０によって行われた何らかの動作を特定する。ファイルシステム３４は、いつマルチメディアファイルが再生、削除、或いは他のリモートデバイスに対して配信されたかを特定し、その動作に関係付けられた対応するタイムスタンプを提供する。
【００２１】
追跡されたマルチメディア使用データは、続いてのコンテンツプロバイダ１２への報告のためにデータベース３２に格納される。一例では、データベース３２は、マルチメディアコンテンツの使用に対応するレコード（記録）を含む。他の関連する情報もデータベース３２に格納されてもよい。例えば、デバイス１０の１以上のユーザに関係付けられた人口構成情報(demographic information)が格納されてもよい。更に、郵便番号、局番(area code)、住所などの、デバイス１０の１以上のユーザに関係付けられた位置情報或いは地理情報が格納されてもよい。更に、特定のマルチメディアコンテンツに関係付けられた使用データを送信する宛先アドレスもデータベース３２に格納されてもよい。代わりに、別個のファイルが使用監視プロセッサ１６によって維持管理されてもよく、この場合、各ファイルが上述したような使用データ及び他の関連するデータを含む。
【００２２】
特定のマルチメディアコンテンツを引き続いて使用すると、使用監視プロセッサ１６は、引き続いての使用に影響される使用データのフィールドを変更することによって、対応する使用データを維持管理する。特定のマルチメディアコンテンツがデバイス１０から引き離されると、例えばそのコンテンツに関係付けられたデータベースレコード又はファイルを削除することによって、対応する使用データがデバイス１０から除去される。コンテンツがデバイス１０から削除されたり、デバイス１０によってもはや使用されなくなったり、デバイス１０にもはや関連付けられなくなったりした場合に、マルチメディアコンテンツはデバイス１０から引き離されたことになる。同様に、コンテンツに対応する電子フィードがデバイス１０によってもはや受信されなくなった場合に、マルチメディアコンテンツはデバイス１０から引き離されたことになる。
【００２３】
図５のステップ３０２に示すように、デバイス１０は、前述のような分析のためにコンテンツプロバイダ１２に対して使用データを報告する。デバイス１０は、レポートを送信する度に、特定のマルチメディアコンテンツに関係付けられた全ての使用データを報告してもよい。代わりに、帯域が限られているデバイスは、変更された使用データのみを報告してもよい。即ち、帯域が限られているデバイスは、直近の報告がコンテンツプロバイダに対して送信された後に変更された使用データのフィールドのみを報告する。
【００２４】
デバイス１０は、コンテンツプロバイダ１２に対して使用データを定期的に報告する。例えば、コンテンツプロバイダ１２は、使用データをいつ（例えば、コンテンツプロバイダ１２によって指定された間隔で）報告するかをデバイス１０に指示する。他の例では、デバイス１０は、デバイス１０がマルチメディアコンテンツを所定の回数使用した後に、使用データを報告する。コンテンツプロバイダ１２は、定期的な報告を使用して使用メトリクスを変更する。こうして、特定のマルチメディアコンテンツの使用における変化が、そのコンテンツに関連付けられた使用メトリクス内で反映される。
【００２５】
このように、特定の実施形態に関して本発明を説明してきたが、本発明は前述の説明によって限定されるものではないということを理解すべきであるし、添付の図面によっても限定されるものではないということを理解すべきである。その代わりに、本発明は、添付の請求の範囲及びその法律上の均等物によってのみ限定される。
【図面の簡単な説明】
【００２６】
【図１】電子コンテンツプロバイダに対して通信するように結合されたマルチメディア対応デバイスの実施形態に関するブロック図である。
【図２】マルチメディアコンテンツの集合的な使用を示す使用メトリクスを生成するための処理ロジックの実施形態に関するロジックフロー図である。
【図３】リモートにアクセスされたマルチメディアコンテンツの集合的な使用をそのマルチメディアコンテンツに関係付けるための処理ロジックの実施形態に関するロジックフロー図である。
【図４】マルチメディア対応デバイスの他の実施形態に関するブロック図である。
【図５】マルチメディア対応デバイスによりマルチメディア使用データを報告するための処理ロジックの実施形態に関するロジックフロー図である。
【図１】
2009520299.tif 000003
【図２】
2009520299.tif 000004
【図３】
2009520299.tif 000005
【図４】
2009520299.tif 000006
【図５】
2009520299.tif 000007
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
マルチメディア対応デバイス（１０）によってリモートにアクセス可能なマルチメディアコンテンツのための使用情報を提供する方法であって、
複数のリモートマルチメディア対応デバイス（１０）によるマルチメディアコンテンツの使用を示す使用データを取得するステップと、
前記リモートマルチメディア対応デバイス（１０）による前記マルチメディアコンテンツの集合的な使用を示すための１以上の使用メトリクスを生成するために前記使用データを処理するステップと、
前記１以上の使用メトリクスを前記マルチメディアコンテンツに関係付けるステップと、
前記マルチメディアコンテンツにアクセスするデバイス（１０）に対して前記１以上の関連付けられた使用メトリクスを提供するステップと、
を備えることを特徴とする方法。
【請求項２】
前記使用データを取得する前記ステップは、前記リモートマルチメディア対応デバイス（１０）の個々から追跡された使用情報を取得するステップを含むことを特徴とする請求項１に記載の方法。
【請求項３】
前記１以上の使用メトリクスを前記マルチメディアコンテンツに関係付ける前記ステップは、前記１以上の使用メトリクスを前記マルチメディアコンテンツに電子的にリンクさせるステップを含むことを特徴とする請求項１に記載の方法。
【請求項４】
前記１以上の使用メトリクスを前記マルチメディアコンテンツに関係付ける前記ステップは、ウェブページ中で前記１以上の使用メトリクスを前記マルチメディアコンテンツにリンクさせるステップを含むことを特徴とする請求項１に記載の方法。
【請求項５】
前記１以上の使用メトリクスを前記マルチメディアコンテンツに関係付ける前記ステップは、前記１以上の使用メトリクスを前記マルチメディアコンテンツに関係付けられた電子フィード内に含ませるステップを含むことを特徴とする請求項１に記載の方法。
【請求項６】
前記１以上の使用メトリクスを前記マルチメディアコンテンツに関係付ける前記ステップは、前記１以上の使用メトリクスと前記マルチメディアコンテンツに対応する識別情報とを含むデータベース（２４）レコードを作成するステップを含むことを特徴とする請求項１に記載の方法。
【請求項７】
前記１以上の使用メトリクスを生成するために前記使用データを処理する前記ステップは、平均使用メトリクス、累積使用メトリクス、頻度使用メトリクス、期間使用メトリクス、及び一時的使用メトリクスのうちの少なくともいずれかを算出するステップを含むことを特徴とする請求項１に記載の方法。
【請求項８】
前記使用データを取得する前記ステップは、前記マルチメディアコンテンツに関係付けられたコンテンツサーバ（１２）によって特定された間隔で前記リモートマルチメディア対応デバイス（１０）の個々から追跡された使用情報を取得するステップを含むことを特徴とする請求項１に記載の方法。
【請求項９】
前記使用データを取得する前記ステップは、前記リモートマルチメディア対応デバイス（１０）の個々によって前記マルチメディアコンテンツが所定の回数使用された後に、前記リモートマルチメディア対応デバイス（１０）の前記個々から追跡された使用情報を取得するステップを含むことを特徴とする請求項１に記載の方法。
【請求項１０】
複数のリモートマルチメディア対応デバイス（１０）によるマルチメディアコンテンツの使用を示す使用データを取得し、
前記リモートマルチメディア対応デバイス（１０）による前記マルチメディアコンテンツの集合的な使用を示す１以上の使用メトリクスを生成するために前記使用データを処理し、
前記マルチメディアコンテンツの集合的な使用を示すために前記１以上の使用メトリクスを前記マルチメディアコンテンツに関係付ける
ように構成された使用情報プロセッサ（２２）と、
前記マルチメディアコンテンツにアクセスするデバイス（１０）に対して前記１以上の関連付けられた使用メトリクスを提供するように構成された送信エレメント（２０）と、
を備えることを特徴とする電子システム（１２）。
【請求項１１】
前記使用情報プロセッサ（２２）は、前記リモートマルチメディア対応デバイス（１０）の個々から追跡された使用情報を取得するように構成されることを特徴とする請求項１０に記載の電子システム（１２）。
【請求項１２】
前記使用情報プロセッサ（２２）は、前記１以上の使用メトリクスを前記マルチメディアコンテンツに電子的にリンクさせるように構成されることを特徴とする請求項１０に記載の電子システム（１２）。
【請求項１３】
前記使用情報プロセッサ（２２）は、ウェブページ中で前記１以上の使用メトリクスを前記マルチメディアコンテンツにリンクさせるように構成されることを特徴とする請求項１０に記載の電子システム（１２）。
【請求項１４】
前記使用情報プロセッサ（２２）は、前記１以上の使用メトリクスを前記マルチメディアコンテンツに関係付けられた電子フィード内に含ませるように構成されることを特徴とする請求項１０に記載の電子システム（１２）。
【請求項１５】
前記使用情報プロセッサ（２２）は、前記１以上の使用メトリクスと前記マルチメディアコンテンツに対応する識別情報とを含むデータベース（２４）レコードを作成するように構成されることを特徴とする請求項１０に記載の電子システム（１２）。
【請求項１６】
前記使用情報プロセッサ（２２）は、平均使用メトリクス、累積使用メトリクス、頻度使用メトリクス、期間使用メトリクス、及び一時的使用メトリクスのうちの少なくともいずれかを算出するように構成されることを特徴とする請求項１０に記載の電子システム（１２）。
【請求項１７】
前記リモートマルチメディア対応デバイス（１０）の個々に対して前記マルチメディアコンテンツへのアクセスを提供し、
前記リモートマルチメディア対応デバイス（１０）の個々から前記使用データを取得し、
前記マルチメディアコンテンツの将来見込まれるユーザに対して前記マルチメディアコンテンツの集合的な使用を示すために前記１以上の使用メトリクスを前記マルチメディアコンテンツにリンクさせる
ように構成されたウェブサーバ（１２）を備えることを特徴とする請求項１０に記載の電子システム（１２）。
【請求項１８】
前記ウェブサーバ（１２）は、前記ウェブサーバ（１２）によって特定された間隔で前記リモートマルチメディア対応デバイス（１０）の個々から追跡された使用情報を取得するように構成されることを特徴とする請求項１７に記載の電子システム（１２）。
【請求項１９】
前記ウェブサーバ（１２）は、前記リモートマルチメディア対応デバイス（１０）の個々によって前記マルチメディアコンテンツが所定の回数使用された後に、前記リモートマルチメディア対応デバイス（１０）の前記個々から追跡された使用情報を取得するように構成されることを特徴とする請求項１７に記載の電子システム（１２）。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
マルチメディア対応デバイスによってマルチメディア使用データを報告する方法であって、
前記マルチメディア対応デバイスにおいて、コンテンツプロバイダから受信したか或いは前記コンテンツプロバイダに関係付けられたマルチメディアコンテンツの使用を追跡することによって、使用データを維持管理するステップと、
前記使用データを前記コンテンツプロバイダへ報告するステップと、
前記マルチメディア対応デバイスのユーザに関係付けられた人口構成情報と、前記ユーザに関係付けられた位置情報と、のうちの少なくとも一方を前記使用データの報告と併せて報告するステップと、
を備えることを特徴とする方法。
【請求項２】
マルチメディア対応デバイスによってリモートにアクセス可能なマルチメディアコンテンツのための使用情報を提供する方法であって、
複数のリモートマルチメディア対応デバイスによるマルチメディアコンテンツの使用を示す使用データを取得するステップと、
前記リモートマルチメディア対応デバイスによる前記マルチメディアコンテンツの集合的な使用を示すための１以上の使用メトリクスを生成するために前記使用データを処理するステップと、
前記１以上の使用メトリクスを前記マルチメディアコンテンツに関係付けるステップと、
前記マルチメディアコンテンツにアクセスするデバイスに対して前記１以上の関連付けられた使用メトリクスを提供するステップと、
を備えることを特徴とする方法。
【請求項３】
前記１以上の使用メトリクスを前記マルチメディアコンテンツに関係付ける前記ステップは、前記１以上の使用メトリクスを前記マルチメディアコンテンツに電子的にリンクさせるステップを含むことを特徴とする請求項２に記載の方法。
【請求項４】
前記１以上の使用メトリクスを前記マルチメディアコンテンツに関係付ける前記ステップは、前記１以上の使用メトリクスを前記マルチメディアコンテンツに関係付けられた電子フィード内に含ませるステップを含むことを特徴とする請求項２に記載の方法。
【請求項５】
前記１以上の使用メトリクスを前記マルチメディアコンテンツに関係付ける前記ステップは、前記１以上の使用メトリクスと前記マルチメディアコンテンツに対応する識別情報とを含むデータベースレコードを作成するステップを含むことを特徴とする請求項２に記載の方法。
【請求項６】
前記１以上の使用メトリクスを生成するために前記使用データを処理する前記ステップは、平均使用メトリクス、累積使用メトリクス、頻度使用メトリクス、期間使用メトリクス、及び一時的使用メトリクスのうちの少なくともいずれかを算出するステップを含むことを特徴とする請求項２に記載の方法。
【請求項７】
前記使用データを取得する前記ステップは、前記マルチメディアコンテンツに関係付けられたコンテンツサーバによって特定された間隔で前記リモートマルチメディア対応デバイスの個々から追跡された使用情報を取得するステップを含むことを特徴とする請求項２に記載の方法。
【請求項８】
前記使用データを取得する前記ステップは、前記リモートマルチメディア対応デバイスの個々によって前記マルチメディアコンテンツが所定の回数使用された後に、前記リモートマルチメディア対応デバイスの前記個々から追跡された使用情報を取得するステップを含むことを特徴とする請求項２に記載の方法。
【請求項９】
複数のリモートマルチメディア対応デバイスによるマルチメディアコンテンツの使用を示す使用データを取得し、
前記リモートマルチメディア対応デバイスによる前記マルチメディアコンテンツの集合的な使用を示す１以上の使用メトリクスを生成するために前記使用データを処理し、
前記マルチメディアコンテンツの集合的な使用を示すために前記１以上の使用メトリクスを前記マルチメディアコンテンツに関係付ける
ように構成された使用情報プロセッサと、
前記マルチメディアコンテンツにアクセスするデバイスに対して前記１以上の関連付けられた使用メトリクスを提供するように構成された送信エレメントと、
を備えることを特徴とする電子システム。
【請求項１０】
前記リモートマルチメディア対応デバイスの個々に対して前記マルチメディアコンテンツへのアクセスを提供し、
前記リモートマルチメディア対応デバイスの前記個々から前記使用データを取得し、
前記マルチメディアコンテンツの将来見込まれるユーザに対して前記マルチメディアコンテンツの集合的な使用を示すために前記１以上の使用メトリクスを前記マルチメディアコンテンツにリンクさせる
ように構成されたウェブサーバを備えることを特徴とする請求項９に記載の電子システム。
【手続補正２】
【補正対象書類名】明細書
【補正対象項目名】０００６
【補正方法】変更
【補正の内容】
【０００６】
本発明は、マルチメディア対応デバイスによってマルチメディア使用データを報告する方法を含む。１つの典型的な方法は、前記マルチメディア対応デバイスにおいて、コンテンツプロバイダから受信したか或いは前記コンテンツプロバイダに関係付けられたマルチメディアコンテンツの使用を追跡することによって、使用データを維持管理するステップと、前記使用データを前記コンテンツプロバイダへ報告するステップと、前記マルチメディア対応デバイスのユーザに関係付けられた人口構成情報と、前記ユーザに関係付けられた位置情報と、のうちの少なくとも一方を前記使用データの報告と併せて報告するステップと、を備える。
前記１つの典型的な方法は、前記マルチメディア対応デバイスから引き離されたマルチメディアコンテンツに対応する使用データを削除するステップを更に含んでもよい。
本発明の実施形態は、マルチメディア対応デバイスを更に含んでもよい。一実施形態によれば、前記マルチメディア対応デバイスは、前記マルチメディア対応デバイスにおいて、コンテンツプロバイダから受信したか或いは前記コンテンツプロバイダに関係付けられたマルチメディアコンテンツの使用を追跡することによって、使用データを維持管理し、前記使用データを前記コンテンツプロバイダへ報告し、前記マルチメディア対応デバイスのユーザに関係付けられた人口構成情報と、前記ユーザに関係付けられた位置情報と、のうちの少なくとも一方を前記使用データの報告と併せて報告するように構成された使用監視プロセッサを備える。
１つの典型的なデバイスでは、前記使用監視プロセッサは更に、前記マルチメディア対応デバイスから引き離されたマルチメディアコンテンツに対応する使用データを削除するように構成される。
本発明の実施形態は、マルチメディア対応デバイスによってリモートにアクセス可能なマルチメディアコンテンツのための使用情報を提供する方法を更に含んでもよい。１つの典型的な方法は、複数のリモートマルチメディア対応デバイスによるマルチメディアコンテンツの使用を示す使用データを取得するステップと、前記リモートマルチメディア対応デバイスによる前記マルチメディアコンテンツの集合的な使用を示すための１以上の使用メトリクスを生成するために前記使用データを処理するステップと、前記１以上の使用メトリクスを前記マルチメディアコンテンツに関係付けるステップと、前記マルチメディアコンテンツにアクセスするデバイスに対して前記１以上の関連付けられた使用メトリクスを提供するステップと、を備える。
１つの典型的な方法では、前記使用データを取得する前記ステップは、前記リモートマルチメディア対応デバイスの個々から追跡された使用情報を取得するステップを含む。
１つの典型的な方法では、前記１以上の使用メトリクスを前記マルチメディアコンテンツに関係付ける前記ステップは、前記１以上の使用メトリクスを前記マルチメディアコンテンツに電子的にリンクさせるステップを含む。
１つの典型的な方法では、前記１以上の使用メトリクスを前記マルチメディアコンテンツに関係付ける前記ステップは、ウェブページ中で前記１以上の使用メトリクスを前記マルチメディアコンテンツにリンクさせるステップを含む。
１つの典型的な方法では、前記１以上の使用メトリクスを前記マルチメディアコンテンツに関係付ける前記ステップは、前記１以上の使用メトリクスを前記マルチメディアコンテンツに関係付けられた電子フィード内に含ませるステップを含む。
１つの典型的な方法では、前記１以上の使用メトリクスを前記マルチメディアコンテンツに関係付ける前記ステップは、前記１以上の使用メトリクスと前記マルチメディアコンテンツに対応する識別情報とを含むデータベースレコードを作成するステップを含む。
１つの典型的な方法では、前記１以上の使用メトリクスを生成するために前記使用データを処理する前記ステップは、平均使用メトリクス、累積使用メトリクス、頻度使用メトリクス、期間使用メトリクス、及び一時的使用メトリクスのうちの少なくともいずれかを算出するステップを含む。
１つの典型的な方法では、前記使用データを取得する前記ステップは、前記マルチメディアコンテンツに関係付けられたコンテンツサーバによって特定された間隔で前記リモートマルチメディア対応デバイスの個々から追跡された使用情報を取得するステップを含む。
１つの典型的な方法では、前記使用データを取得する前記ステップは、前記リモートマルチメディア対応デバイスの個々によって前記マルチメディアコンテンツが所定の回数使用された後に、前記リモートマルチメディア対応デバイスの前記個々から追跡された使用情報を取得するステップを含む。
本発明の実施形態は、電子システムを更に含んでもよい。一実施形態によれば、前記システムは、複数のリモートマルチメディア対応デバイスによるマルチメディアコンテンツの使用を示す使用データを取得し、前記リモートマルチメディア対応デバイスによる前記マルチメディアコンテンツの集合的な使用を示す１以上の使用メトリクスを生成するために前記使用データを処理し、前記マルチメディアコンテンツの集合的な使用を示すために前記１以上の使用メトリクスを前記マルチメディアコンテンツに関係付けるように構成された使用情報プロセッサと、前記マルチメディアコンテンツにアクセスするデバイスに対して前記１以上の関連付けられた使用メトリクスを提供するように構成された送信エレメントと、を備える。
１つの典型的なシステムでは、前記使用情報プロセッサは、前記リモートマルチメディア対応デバイスの個々から追跡された使用情報を取得するように構成される。
１つの典型的なシステムでは、前記使用情報プロセッサは、前記１以上の使用メトリクスを前記マルチメディアコンテンツに電子的にリンクさせるように構成される。
１つの典型的なシステムでは、前記使用情報プロセッサは、ウェブページ中で前記１以上の使用メトリクスを前記マルチメディアコンテンツにリンクさせるように構成される。
１つの典型的なシステムでは、前記使用情報プロセッサは、前記１以上の使用メトリクスを前記マルチメディアコンテンツに関係付けられた電子フィード内に含ませるように構成される。
１つの典型的なシステムでは、前記使用情報プロセッサは、前記１以上の使用メトリクスと前記マルチメディアコンテンツに対応する識別情報とを含むデータベースレコードを作成するように構成される。
１つの典型的なシステムでは、前記使用情報プロセッサは、平均使用メトリクス、累積使用メトリクス、頻度使用メトリクス、期間使用メトリクス、及び一時的使用メトリクスのうちの少なくともいずれかを算出するように構成される。
１つの典型的なシステムでは、前記電子システムは、前記リモートマルチメディア対応デバイスの個々に対して前記マルチメディアコンテンツへのアクセスを提供し、前記リモートマルチメディア対応デバイスの前記個々から前記使用データを取得し、前記マルチメディアコンテンツの将来見込まれるユーザに対して前記マルチメディアコンテンツの集合的な使用を示すために前記１以上の使用メトリクスを前記マルチメディアコンテンツにリンクさせるように構成されたウェブサーバを備える。
１つの典型的なシステムでは、前記ウェブサーバは、前記ウェブサーバによって特定された間隔で前記リモートマルチメディア対応デバイスの個々から追跡された使用情報を取得するように構成される。
１つの典型的なシステムでは、前記ウェブサーバは、前記リモートマルチメディア対応デバイスの個々によって前記マルチメディアコンテンツが所定の回数使用された後に、前記リモートマルチメディア対応デバイスの前記個々から追跡された使用情報を取得するように構成される。
【国際調査報告】
2009520299.tif 000008
2009520299.tif 000009
2009520299.tif 000010
2009520299.tif 000011
2009520299.tif 000012